(57)【要約】【課題】電源ブロックの機器本体への着脱にかかる操作性を良好にした電気機器を提供する。【解決手段】機器本体２への給電を行う電源ブロック１を、係止手段を介して機器本体２に着脱自在に装着してなる電気機器である。係止手段の係合を解除する操作杆３を電源ブロック１に設ける。操作杆３の操作方向を電源ブロック１の機器本体２からの取外し方向と同一方向に設定する。【選択図】        図１
2004152506.tif 000002
【特許請求の範囲】
【請求項１】
機器本体への給電を行う電源ブロックを、係止手段を介して機器本体に着脱自在に装着してなる電気機器において、係止手段の係合を解除する操作杆を電源ブロックに設けると共に、この操作杆の操作方向を電源ブロックの機器本体からの取外し方向と同一方向に設定してなることを特徴とする電気機器。
【請求項２】
電源ブロックを、給電装置等を備えたブロック本体と、電源ブロックの外殻であるブロックカバーとを有して構成し、ブロックカバーをブロック本体に摺動自在に被せて取付け、ブロックカバーのブロック本体への摺動方向を電源ブロックの機器本体からの取外し方向と同一方向に設定し、ブロックカバーの摺動動作にて係止手段の係合を解除させるようにしてこのブロックカバーで操作杆を構成したことを特徴とする請求項１記載の電気機器。
【請求項３】
上部を機器本体に接続させる電源ブロックの側縁部における対称位置に１対の操作杆を設け、この１対の操作杆の操作にて一の係止手段の係合を解除させるようにしたことを特徴とする請求項１記載の電気機器。
【請求項４】
係止手段を、電源ブロックに設けた係止爪と、該係止爪が係脱される機器本体に設けた被係止部とから構成し、長板状の爪部材をその長手方向の中央部分で電源ブロックに枢支して回動自在に取付け、この爪部材における枢支部分を挟んで一端側に上記係止爪を設けると共に、他端側に操作杆の操作荷重を受ける被押圧部を設けたことを特徴とする請求項１記載の電気機器。
【請求項５】
電源ブロックに機器本体からの取り外しを補助する取外し補助機構を設け、この取外し補助機構が、操作杆の取り外し操作に連動して圧縮されるバネ体と、この圧縮されたバネ体の反発力を受けて機器本体を押圧する押圧部材とを備えてなることを特徴とする請求項１記載の電気機器。
【発明の詳細な説明】
【０００１】
【発明の属する技術分野】
本発明は、電気機器の電源となる電源ブロックの機器本体への装着構造に関する発明である。
【０００２】
【従来の技術】
従来から、たとえば電動工具などの電気機器の電源となる電源ブロック１の機器本体２への装着構造にあっては、図３２に示すように、電源ブロック１に設けた係止爪６を機器本体２に設けた被係止部７に引っ掛け係止させることで、電源ブロック１の機器本体２への保持が行われている。詳しくは、上記係止爪６は電源ブロック１の側縁に板バネ２４を介在して内外方向に突没自在に設けられており、係止爪６と一体に設けた操作杆３が電源ブロック１の窓部２０から外方に露出され、使用者がこの操作杆３を板バネ２４の付勢に抗って電源ブロック１の内方に押し込むことで、図３３に示すように係止爪６と被係止部７との係止が外れ、電源ブロック１が機器本体２から取り外せるようになっている（たとえば、特許文献１参照）。
【０００３】
【特許文献１】
特開平６−１１１８５３号公報
【０００４】
【発明が解決しようとする課題】
しかしながら、上記構成による電源ブロック１の機器本体２への装着構造にあっては、操作杆３の押圧方向（矢印ｂ）と電源ブロック１の機器本体２からの離間方向（矢印ａ）が異なるために、使用者はこの２方向に順に力を入れねばならないものであって、電源ブロック１の機器本体２への着脱にかかる操作性は良好なものとは言い難いものであった。しかも、上記構成による電源ブロック１の機器本体２への装着構造にあっては、電源ブロック１の機器本体２への保持力は、係止爪６と被係止部７との係止を保持する板バネ２４の弾性力に依り、そのため、電源ブロック１の電気容積や電源電圧の拡大に伴って電源ブロック１の重量が大きくなると、電源ブロック１の機器本体２への保持力の拡大、すなわち板バネ２４に大きな弾性力が必要となり、したがって、使用者はこの弾性力の大きな板バネ２４の付勢に抗って操作杆３を大の力で押し込む必要が生じ、上記２方向に順に力を入れねばならない操作杆３の操作法と相俟って、電源ブロック１の機器本体２への着脱にかかる操作性は極めて悪化してしまうのであった。
【０００５】
本発明は上記の点に鑑みてなされたものであり、電源ブロックの機器本体への着脱にかかる操作性を良好にした電気機器を提供することを課題とするものである。
【０００６】
【課題を解決するための手段】
上記課題を解決するために本発明に係る電気機器にあっては、機器本体２への給電を行う電源ブロック１を、係止手段を介して機器本体２に着脱自在に装着してなる電気機器において、係止手段の係合を解除する操作杆３を電源ブロック１に設けると共に、この操作杆３の操作方向を電源ブロック１の機器本体２からの取外し方向と同一方向に設定してなることを特徴とする。これによると、係止手段の係合を解除する操作杆３の操作方向を電源ブロック１の機器本体２からの取外し方向と同一方向に設定してあるので、電源ブロック１を機器本体２から取外す際には、使用者が操作杆３にかけた力をそのまま電源ブロック１の機器本体２からの取外しに係る力とでき、電源ブロック１の機器本体２からの取外しにかかる操作性を向上させることができる。
【０００７】
また、電源ブロック１を、給電装置等を備えたブロック本体４と、電源ブロック１の外殻であるブロックカバー５とを有して構成し、ブロックカバー５をブロック本体４に摺動自在に被せて取付け、ブロックカバー５のブロック本体４への摺動方向を電源ブロック１の機器本体２からの取外し方向と同一方向に設定し、ブロックカバー５の摺動動作にて係止手段の係合を解除させるようにしてこのブロックカバー５で操作杆３を構成したことも好ましい。これによると、操作杆３が電源ブロック１の外殻を構成するブロックカバー５で構成されているので、電源ブロック１を把持してそのまま機器本体２から離す方向に力を入れることで電源ブロック１が機器本体２から外れるようになり、電源ブロック１の機器本体２からの取外しにかかる操作性を更に向上させることができる。
【０００８】
また、上部を機器本体２に接続させる電源ブロック１の側縁部における対称位置に１対の操作杆３を設け、この１対の操作杆３の操作にて一の係止手段の係合を解除させるようにしたことも好ましい。これによると、係止手段の係合の解除にかかる力を各操作杆３に分割してかけることができ、つまり、機器本体２から電源ブロック１を取り外す際に使用者が各操作杆３にかける力を小さくさせることができ、電源ブロック１の機器本体２からの取外しにかかる操作性を更に向上させることができる。
【０００９】
また、係止手段を、電源ブロック１に設けた係止爪６と、該係止爪６が係脱される機器本体２に設けた被係止部７とから構成し、長板状の爪部材８をその長手方向の中央部分で電源ブロック１に枢支して回動自在に取付け、この爪部材８における枢支部分を挟んで一端側に上記係止爪６を設けると共に、他端側に操作杆３の操作荷重を受ける被押圧部９を設けたことも好ましい。これによると、てこの原理を利用して操作杆３で係止手段の係合の解除を行うことができ、使用者が操作杆３にかける力を小さくでき、電源ブロック１の機器本体２からの取外しにかかる操作性を更に向上させることができる。
【００１０】
また、電源ブロック１に機器本体２からの取り外しを補助する取外し補助機構を設け、この取外し補助機構が、操作杆３の取り外し操作に連動して圧縮されるバネ体１０と、この圧縮されたバネ体１０の反発力を受けて機器本体２を押圧する押圧部材１１とを備えたことも好ましい。これによると、電源ブロック１の機器本体２からの取外しにかかる力を取外し補助機構にて補助することができ、つまり、使用者に必要とされる電源ブロック１の機器本体２からの取外しにかかる力を小さくでき、電源ブロック１の機器本体２からの取外しにかかる操作性を更に向上させることができる。
【００１１】
【発明の実施の形態】
本発明は、機器本体２への給電を行う電源ブロック１を、係止手段を介して機器本体２に着脱自在に装着してなる電気機器における、電源ブロック１の機器本体２への装着構造に特徴を有しており、詳しくは、係止手段の係合を解除する操作杆３の操作方向を電源ブロック１の機器本体２からの取外し方向と同一方向に設定し、使用者が操作杆３に付加させる電源ブロック１の機器本体２から取外しにかかる力を、そのまま電源ブロック１を機器本体２から離間させる力として利用することで、電源ブロック１の機器本体２への着脱にかかる操作性を良好にしたことに特徴を有している。なお、以下に示す本発明の実施形態の諸例では、電気機器として電動工具を例に挙げて説明する。ここで、電動工具は、図８に示すように、ドリルやドライバ等の工具を装着させるチャック部１２や該チャック部１２の駆動を行わせる駆動部（図示せず）を備えた本体部１３と、この本体部１３から下方に延設した把持部１４とから成る機器本体２を有し、この機器本体２の把持部１４の下端部に、駆動部への給電を行わせる給電装置が備えられた電源ブロック１を、着脱自在に装着して構成された電気機器である。なお、電源工具の駆動、すなわち駆動部への給電のオンオフはレバーハンドル６９にて操作され、電源ブロック１としては、図示する２次電池１７を収容した電池パックや、電源コード付きの電源パックが想定される。上述したように、本発明は電源ブロック１の機器本体２への装着構造に特徴を有するものであるから、以下に説明する本発明の実施形態の諸例では、電源ブロック１の機器本体２への装着構造を中心に説明していく。
【００１２】
図１乃至図８には本発明の実施の形態の例を示す。この電源ブロック１は、下部ハウジング１５と上部ハウジング１６とで矩形函状の外殻（ハウジング）が形成され、この外殻の内部には２次電池１７が整列して配置されて構成されている。なお、下部ハウジング１５は上方が開口した矩形容器であり、上部ハウジング１６は下方が開口した矩形容器であり、電源ブロック１の外殻を形成させるには、下部ハウジング１５及び上部ハウジング１６の各開口を合わせるように組ませることで行われる。また、上部ハウジング１６には機器本体２に挿入される端子部１８が上方に突設され、この端子部１８には機器本体２の入電部となる接触端子に接触される通電端子１９が１対設けられている。また、整列して配置された２次電池１７は、電気的には、直列もしくは一部を並列にしたものを直列に接続してあり、電気的に異極である両端がたとえばリード線などを介して通電端子１９にそれぞれ接続されている。つまり、２次電池１７及び通電端子１９、この２次電池１７と通電端子１９との電気的接続構造が電源ブロック１の給電装置を構成している。
【００１３】
この電源ブロック１はその上面が機器本体２への着脱面とされているが、この着脱面に略垂直な面である電源ブロック１の４つの側面のうち、対向する１対の側面に電源ブロック１の内外に貫通する窓部２０がそれぞれ設けられている。そして、この窓部２０の内側部分には、電源ブロック１の内側から、機器本体２の被係止部７と共に係止手段を構成する係止爪６が上端に設けられた爪部材８、この係止爪６の上記被係止部７への係止を解除させる操作杆３が重なるように配置されている。ここで、機器本体２の被係止部７は、電源ブロック１の端子部１８を挿入させるために筒状に形成された機器本体２の把持部１４外殻の下端部分に内方に突出した係止突起２１（図３２，３３参照）で構成されている。
【００１４】
ここで、操作杆３は、指かけ２２が形成された外面部分を窓部２０から外方に露出させた板状部材であり、下部ハウジング１５の下面に設けた操作杆用バネ材２３により上方に付勢されて配置されている。つまり、操作杆３は、操作杆用バネ材２３の付勢を受けつつ、電源ブロック１の機器本体２への着脱方向、つまり上下方向に摺動自在にされている。また、爪部材８は操作杆３の内面に沿って配置される板状部材であり、この板状の爪部材８の内面には、下部ハウジング１５に下端を固定させた板バネ２４の上端が固定され、この板バネ２４によって、爪部材８は電源ブロック１の外方へ付勢を受けつつ配置されている。ここで、爪部材８の上端の係止爪６は上部ハウジング１６を挿通して電源ブロック１の外部に配置されている。なお、上記板バネ２４によると爪部材８は操作杆３の内面に弾接されるが、操作杆３の左右側縁部分を窓部２０の左右側縁に内側から当接させていることで、爪部材８及び操作杆３の窓部２０からの抜けが防止されている。また詳しくは、板バネ２４はその下端が下部ハウジング１５の底面から立設したバネ挿入筒２５に挿入係止されることで下部ハウジング１５に固定され、爪部材８はその下端がバネ挿入筒２５の外面と操作杆３の内面との間に挟持されている。また、操作杆３には内方に突出した押圧突起２６が形成されており、爪部材８には上記押圧突起２６が嵌まり込む切欠２７が形成されている。また、押圧突起２６及び切欠２７は操作杆３及び爪部材８のそれぞれ上方部位に形成されている。
【００１５】
操作杆３は、通常、操作杆用バネ材２３の付勢を受けて押圧突起２６が切欠２７に嵌り込んだ状態となっている。つまり爪部材８と操作杆３とが隙間無く重なり、爪部材８の係止爪６は、外方に突出して機器本体２の被係止部７に係止させ得る状態にされている（図４，５）。そして、操作杆用バネ材２３の付勢に抗って使用者が操作杆３を下方にスライドさせると、押圧突起２６が切欠２７の下縁に乗り上げて爪部材８が操作杆３により内方に押されるようにされる。このときには板バネ２４の付勢に抗って爪部材８の係止爪６は内方に移動し、係止爪６と被係止部７との係合が解かれるようにされる（図６，７）。なお、本例では、操作杆３の押圧突起２６には上方程内方に傾斜した押圧傾斜面２８が形成されており、また、爪部材８の切欠２７の下縁部分には上方程内方に傾斜した被押圧傾斜面２９が形成されている。これにより、操作杆３のスライド時には、略同じ方向に傾斜する押圧傾斜面２８を被押圧傾斜面２９にスムーズに乗り上げさせ得るようにされ、操作杆３の操作性の向上が図られている。
【００１６】
機器本体２に装着された電源ブロック１を機器本体２から取り外すには、上述したように操作杆３を操作杆用バネ材２３の付勢に抗って下方にスライドさせ、電源ブロック１側の係止爪６と機器本体２側の被係止部７との係合を解除させ、電源ブロック１を機器本体２から下方に離間させるように行われる。つまり、本例の電動工具では、係止手段の係合を解除する操作杆３の操作方向は、電源ブロック１の機器本体２からの取外し方向と同一方向に設定してあり（矢印Ａ）、これにより、使用者は操作杆３を下方に押し下げる力をそのまま電源ブロック１に働かせることで、電源ブロック１を機器本体２から外して離間させることができるようにされている。したがって、２方向［操作杆３への押圧方向（図３２，３３中矢印ａ）と、電源ブロック１の機器本体２からの離間方向（図３２，３３中矢印ｂ）］に順に力を入れることで電源ブロック１の機器本体２からの取外しが行われていた従来の電気機器に比べて、本例の電気機器は、使用者が操作杆３に付加させる電源ブロック１の機器本体２から取外しにかかる力を、そのまま電源ブロック１を機器本体２から離間させる力として利用することができるようにされており、電源ブロック１の機器本体２からの取外しにかかる操作性が良好にされているのである。
【００１７】
更に言えば、電源ブロック１が大型化（重量化）すると、係止手段の係合力に大きい力が必要になり、つまり係止爪６が形成された爪部材８を付勢する板バネ２４に弾性力の大きいものを用いることになる。これがために、操作杆３を押圧する力が板バネ２４の弾性力に依る従来の電気機器では、すぐに操作性の悪化を引き起こしてしまうのであった。しかしながら、本例の電気機器では、操作杆３のスライドに必要な力は主に操作杆用バネ材２３に依り、すなわち係止手段の係合力を確保する板バネ２４の弾性力増大の操作杆３の操作性への影響は比較的軽微であり、すぐさま操作杆３の操作性の悪化が引き起こしてしまうことはない。このように、本例の電気機器は、従来の電気機器に比べて、電源ブロック１が大型化（重量化）しても良好な操作性の維持を図り得るといった利点も有しているのである。
【００１８】
以下、本発明の実施の形態の他例を列挙する。ここでは、先の本発明の実施の形態の例と相違する部位のみを説明し、同じ部位には同番号を付して説明を省略する。
【００１９】
図９乃至図１４には本発明の実施の形態の他例を示す。この例の電動工具は、先の操作杆３に相当する部材を、電源ブロック１の外殻を形成するブロックカバー５で構成し、電源ブロック１を機器本体２から取外す際に使用者が電源ブロック１を握って力を入れ易いかたちで行えるようにして、電源ブロック１の機器本体２からの取外しにかかる操作性を高めたものである。
【００２０】
具体的に、本例の電源ブロック１は、上部ハウジング１６と、上部ハウジング１６に一体に取付けられた電池押さえ３０と、この電池押さえ３０に対して上下に摺動自在に装着された下部ハウジング１５とで構成されている。そして、上部ハウジング１６と電池押さえ３０との間には２次電池１７が挟持配置され、２次電池１７の電気が通電端子１９に至るようにされている。つまり、上部ハウジング１６及び電池押さえ３０の一体物には給電装置が備えられている。ここでは、便宜上、上部ハウジング１６及び電池押さえ３０の一体物をブロック本体４と称する。また、摺動可能な下部ハウジング１５が上記ブロックカバー５を構成している。
【００２１】
電池押さえ３０は、２次電池１７を載置する底面部３１を有し、この底面部３１の適所の数ヵ所に有底筒３２を上方突設し、有底筒３２の上端に位置する筒底面の中心部分に電源ブロック１の上下に亘る長さを有するビス固定筒３３を一体に突設して構成されている。ここで、ビス固定筒３３は内部に上下に貫通する貫通孔３４を形成させており、また、有底筒３２とビス固定筒３３との間には下方に開口する略リング筒状の空所３５を形成させている。ブロック本体４を形成すべく電池押さえ３０を上部ハウジング１６に固定するには、ビス固定筒３３の貫通孔３４上縁を上部ハウジング１６の上面に穿設したビス孔３６に合わせて当接し、このビス孔３６及び貫通孔３４にビス等の固着具３７を打入することで行われる。
【００２２】
また、ブロックカバー５は、その主体が、矩形状の底面の周縁に側壁を立ち上げて構成される上方に開口する矩形容器であり、底面の適所には上記電池押さえ３０の空所３５に下方から挿入させるカバー筒部３８が形成されて構成されている。ここで、側壁の外面には適所に指かけ２２が形成されており、また、カバー筒部３８は、上端に底部３９を有する有底筒状のもので、底部３９中央には電池押さえ３０のビス固定筒３３を挿通させる貫通孔４０が形成されている。
【００２３】
このブロックカバー５を電池押さえ３０に装着するには、電池押さえ３０のビス固定筒３３をカバー筒部３８の貫通孔４０に上方から挿通させつつ、カバー筒部３８を電池押さえ３０の空所３５に下方から挿入配置し、カバー筒部３８の内面とビス固定筒３３の外面との間にコイルバネ４１を配置し、ビス固定筒３３の下端にカバー筒部３８の内径と略同径のワッシャ部材４２を下方から当接させて上記コイルバネ４１をカバー筒部３８の底部３９とワッシャ部材４２とで挟み込み、上記ワッシャ部材４２を間に介してビス等の固着具４３を下方からビス固定筒３３の貫通孔３４に螺着させることで行われる。しかして、ブロックカバー５は、電池押さえ３０にコイルバネ４１を介して装着され、電池押さえ３０に対して上下に摺動自在に装着される。更に言うと、コイルバネ４１によって通常、ブロックカバー５は上方に付勢されており、このコイルバネ４１の付勢に抗ってブロックカバー５は下方にスライドできるようにされている。
【００２４】
なお、ブロックカバー５の上端の内面部分には押圧突起２６が形成されている。また、電池押さえ３０の下面からはバネ挿入筒２５が立設され、このバネ挿入筒２５には板バネ２４が配置され、この板バネ２４には爪部材８が連設されている。この爪部材８は板バネ２４の付勢を受けて上部ハウジング１６及びブロックカバー５の側壁内面に弾接されている。
【００２５】
しかして、ブロックカバー５がコイルバネ４１の付勢を受けて上方位置にある通常状態では、図１３に示すように、ブロックカバー５の押圧突起２６が爪部材８の切欠２７に位置し、爪部材８の係止爪６は上部ハウジング１６の上方位置で外方に突出した状態にされている。つまり、この状態では係止爪６は機器本体２の被係止部７に係止されるようになっている。また、図１４に示すように、ブロックカバー５をコイルバネ４１の付勢に抗って下方にスライドさせたときには、ブロックカバー５の押圧突起２６が爪部材８の切欠２７の下縁に乗り上げ、爪部材８の係止爪６は内方に引っ込むようにされる。つまり、機器本体２の被係止部７に係合されていた係止爪６の被係止部７への係合が解除されるようになる。
【００２６】
このように、本例の電動工具にあっても、電源ブロック１の機器本体２への取外し方向である下方に、電源ブロック１のブロックカバー５をスライド操作させることで、係止爪６の被係止部７への係合を解除し、そのまま電源ブロック１を機器本体２から取外すことができるのであり、先の実施の形態同様の作用効果を奏することができるのである。加えて、本例の電動工具では、電源ブロック１の取外し操作をする部材がブロックカバー５で構成されているので、電源ブロック１を把持できて電気機器の取外しにかかる力を入れ易くされており、電源ブロック１の機器本体２からの取外しにかかる操作性の更なる向上が図られているのである。
【００２７】
また、図１５乃至図２３には本発明の実施の形態の更に他例を示す。この例の電動工具は、上部を機器本体２に接続させる電源ブロック１の側縁部における対称位置に１対の操作杆３を設け、この１対の操作杆３の操作にて一の係止手段の係合を解除させたことを特徴とし、機器本体２から電源ブロック１を取り外す際に、使用者が２つの操作杆３にかけた力の合力によって一の係止手段の係合の解除を行わせ、つまり使用者が一の操作杆３にかける力を小さくでき、電源ブロック１の機器本体２からの取外しにかかる操作性を高めているものである。以下、便宜上、図１５中矢印Ｂを前方向とし、矢印Ｃを左右方向として、説明していく。
【００２８】
本例の電源ブロック１では、上部ハウジング１６の上面中央の１箇所に係止爪６が前方を向いて前後方向に突没自在に設けられている。また、電源ブロック１の左右側壁には操作杆３がそれぞれ設けてある。この操作杆３は、先の実施の形態の例同様、操作杆用バネ材２３により上方に付勢を受けつつ、上下に摺動可能に設けられている。本例では１対の操作杆３の操作によって上記係止爪６の突没操作が為されるが、これは、１対の操作杆３と係止爪６とを連結した回転可動子４４によって行われる。
【００２９】
この回転可動子４４は、上部ハウジング１６の上面の内側に沿う水平板部４５と、この水平板部４５の両縁から垂下して操作杆３の内側に沿う１対の垂直板部４６とで構成されている。水平板部４５の上面の中央部分には軸受４８が穿設され、この軸受４８に上部ハウジング１６の回転軸４７を挿通させることで、回転可動子４４が上部ハウジング１６の直下部分で水平回転できるように配置される。また、この水平板部４５には上方に突出する扁心軸４９が設けられている。また、各垂直板部４６には、操作杆３の押圧突起２６を遊嵌させる遊嵌窓５０が設けられている。操作杆３の押圧突起２６の下縁及び遊嵌窓５０の下縁には、押圧突起２６及び遊嵌窓５０の前後寸法を下方程小ささせるような傾斜面５１，５２が施されている。この傾斜面５１，５２は、左右の押圧突起２６及び遊嵌窓５０で、互いに違う方向に面するように形成されている。言い替えると、左右の一方の押圧突起２６及び遊嵌窓５０の傾斜面５１，５２が前方程下方に位置する傾斜状に形成されると、左右の他方の押圧突起２６及び遊嵌窓５０の傾斜面５１，５２は後方程下方に位置する傾斜状に形成されるようにされている。しかして、操作杆３の上下動作によると、操作杆３と共に上下動をする押圧突起２６の傾斜面５１が回転可動子４４の遊嵌窓５０の傾斜面５２に滑り接触することで、回転可動子４４に回転方向への力が伝達され、回転可動子４４が水平回転されるようになっている（図１８，１９⇔図２０，２１）。
【００３０】
また、係止爪６は独立したブロック体である爪ブロック５３の上部に一体に形成されている。この爪ブロック５３は、上部ハウジング１６との間に配置された爪用コイルバネ５４によって前方に付勢されて配置されている。この爪ブロック５３の下面には前後方向に対して斜めの直線状にスライド溝５５が凹設され、このスライド溝５５に回転可動子４４の回転と共に扁心回転をする扁心軸４９をスライド自在に遊嵌させている。つまり、スライド溝５５の長さ方向は、扁心回転をする扁心軸４９の軌跡と略同方向に設定されている。しかして、回転可動子４４の回転動作は、扁心軸４９がスライド溝５５の溝端面に滑り接触することで、爪ブロック５３に前後方向への力を伝達し、爪ブロック５３が前後移動されるようになっている（図１８，２２⇔図２０，２３）。
【００３１】
なお、操作杆用バネ材２３により上方に付勢された操作杆３は、図１５，１７に示すように、上方位置に位置して操作杆３の押圧突起２６が回転可動子４４の遊嵌窓５０に遊嵌し、係止爪６は爪用コイルバネ５４の付勢を受けて前方（ハウジング外）に突出されている。この状態の電源ブロック１が機器本体２に装着されるようになる。そして、機器本体２に装着された電源ブロック１を取外すには、図２０に示すように、操作杆３を操作杆用バネ材２３の付勢に抗って、電源ブロック１の機器本体２からの取外し方向である下方にスライドさせ、操作杆３の押圧突起２６を回転可動子４４の遊嵌窓５０の縁部に滑り接触させて回転可動子４４を回転させ、扁心回転する回転可動子４４の扁心軸４９を爪ブロック５３のスライド溝５５に滑り接触させて係止爪６を爪用コイルバネ５４の付勢に抗って後方（ハウジング内）に没入させ、係止爪６の被係止部７への係合を解除させることで行われる。
【００３２】
このように、本例の電動工具も、電源ブロック１の機器本体２からの取外しの際の操作杆３の操作方向は、電源ブロック１の機器本体２からの取外し方向である下方に設定されているので、先の実施の形態の例同様の作用効果を奏し得ることができる。加えて、本例の電動工具では、１対の操作杆３をスライド操作させる力の合力を係止爪６の移動に使用することができ、つまり、係止手段の係合の解除にかかる力を各操作杆３に分割してかけて、機器本体２から電源ブロック１を取り外す際に使用者が操作杆３にかける力を小さくでき、電源ブロック１の機器本体２からの取外しにかかる操作性を更に向上させることが図られているものである。これは特に、電源ブロック１の重量化に伴って係止爪６の被係止部７への係合力を確保する爪用コイルバネ５４の弾性力が大きくなる場合に、有効である。
【００３３】
また、図２４乃至図２７には本発明の実施の形態の更に他例を示す。この例の電動工具は、先の図１〜図８の実施の形態の例における爪部材８の上下の略中央位置に、その両幅方向に突出した枢支軸５６を１対形成し、窓部２０の両側縁内側に形成した軸受５７に上記枢支軸５６を枢支することで、爪部材８を電源ブロック１の外殻であるハウジングに対して回動自在に装着し、この爪部材８の上端に係止爪６を形成すると共に、爪部材８の下端部分に操作杆３の操作荷重を受ける被押圧部９を設けてあり、つまり、係止爪６と被押圧部９との間に爪部材８のハウジングへの枢支部分を配置して、操作杆３の操作にかかる力をてこの原理を利用して有効に係止爪６へ至らせ得るようにし、使用者が操作杆３にかける力を小さくして、電源ブロック１の機器本体２からの取外しにかかる操作性を高めているものである。
【００３４】
詳しくは、爪部材８に形成する被押圧部９は、下方にスライドする操作杆３の押圧突起２６に当接される内方に突出する突起状部位である。この被押圧部９には、押圧突起２６が当接される上縁部分に上内方を向く傾斜面５８が形成されており、傾斜面５８を押圧する押圧突起２６の下方への押圧力を外方向への力に変え、爪部材８の下端を外方に移動させ得るようにされている。ここで、爪部材８はハウジングへの枢支部分を中心に回転自在にされているから、爪部材８の下端を外方に移動させた分、爪部材８の上端、すなわち係止爪６はハウジング内に凹没されるようになっている。つまり、操作杆３のスライド動作をてこの原理を利用して係止爪６の突没動作に変換させているのである。しかして、爪部材８の枢支位置を適宜調整することで、操作杆３のスライド量に比べて係止爪６の突没量を大きくしたり、操作杆３のスライドにかかる力を有効に係止爪６の突没にかかる力に変換して係止爪６を付勢する板バネ２４に働かせることができるのである。このように、本例の電動工具は、先の実施の形態の例同様の作用効果を奏することができ、加えて、操作杆３を操作する力の軽減を図って電源ブロック１の機器本体２からの取外しにかかる操作性を向上させたり、操作杆３の操作量に比べて係止爪６の突没量を大きくして電源ブロック１の小型化に資することが可能とされている。
【００３５】
また、図２８乃至図３１には本発明の実施の形態の更に他例を示す。この例の電動工具は、電源ブロック１の機器本体２からの取り外しを補助する取外し補助機構を設け、使用者に必要とされる電源ブロック１の機器本体２からの取外しにかける力を小さくして、電源ブロック１の機器本体２からの取外しにかかる操作性を高めているものである。以下、詳述する。
【００３６】
上記取外し補助機構は、電源ブロック１の外殻を構成せるハウジングの上面から上下に突没する押圧部材１１と、この押圧部材１１を上方に付勢して押し上げるバネ体１０と、このバネ体１０を操作杆３の取り外し操作に連動して圧縮させるアーム５９とで構成されている。押圧部材１１は、下方に開口した有底筒状の筒部材６０と、この筒部材６０の内部に下方から挿入されるピン６１とで構成される。筒部材６０の下縁には、ハウジングの上面に穿設して筒部材６０が挿通される貫通孔６２の下縁に当接されるフランジ部６３が形成されており、ピン６１の下端には、筒部材６０の内径よりも大きい径にした頭部６４が形成されており、筒部材６０のフランジ部６３とピン６１の頭部６４との間に、コイルバネ状のバネ体１０が挟持配置されている。なお、上記バネ体１０はピン６１の軸部６５に巻装されている。また、棒状のアーム５９は、長手方向の一端に操作杆３に回転自在に枢支される操作杆側枢支部６６が設けられ、長手方向の中央部分にはハウジングに枢支される揺動中心部６７が設けられている。つまり、操作杆３の上下動と反対のタイミングで上記アーム５９は揺動中心部６７を中心とする揺動を行うようにされている。そして、このアーム５９の長手方向の他端にはピン６１の頭部６４を下方から押圧するピン押圧部６８が設けられている。
【００３７】
上記構成の取外し補助機構にあっては、図２９→図３０→図３１に示すように、電源ブロック１を機器本体２から取り外すべく操作杆３を下方にスライドさせると、操作杆３の下方へのスライドに伴って、ピン押圧部６８が上方移動をしてバネ体１０を圧縮しながらピン６１を上方に押し上げるのであり、ある一定の長さにまでバネ体１０が圧縮されると、該バネ体１０の反発力によって押圧部材１１の筒部材６０のフランジ部６３を勢い良く押し上げ、筒部材６０をハウジングの上方に勢い良く突出させるようにされるのである。ハウジングの上方へ突出した筒部材６０の上端を機器本体２に押圧させると、反動で機器本体２から電源ブロック１が取外し方向に移動するようになる。
【００３８】
このように、電源ブロック１の機器本体２からの取外しにかかる力を取外し補助機構にて補助することができ、つまり、使用者に必要とされる電源ブロック１の機器本体２からの取外しにかける力を小さくでき、電源ブロック１の機器本体２からの取外しにかかる操作性の更なる向上が図られているのである。
【００３９】
なお、本例は、図１〜図８の実施の形態の例の電動工具に、取外し補助機構を付加させたものであるが、他の実施の形態の例においても上下に摺動する操作杆３がある以上、取外し補助機構を同様に付加させ得ることは言うまでもない。
【００４０】
【発明の効果】
上記のように本発明の請求項１記載の発明にあっては、機器本体への給電を行う電源ブロックを、係止手段を介して機器本体に着脱自在に装着してなる電気機器において、係止手段の係合を解除する操作杆を電源ブロックに設けると共に、この操作杆の操作方向を電源ブロックの機器本体からの取外し方向と同一方向に設定してなるので、電源ブロックを機器本体から取外す際には、使用者が操作杆にかけた力をそのまま電源ブロックの機器本体からの取外しにかかる力に利用でき、電源ブロックの機器本体からの取外しにかかる操作性を向上させることができる。
【００４１】
また、請求項２記載の発明にあっては、請求項１の効果に加えて、電源ブロックを、給電装置等を備えたブロック本体と、電源ブロックの外殻であるブロックカバーとを有して構成し、ブロックカバーをブロック本体に摺動自在に被せて取付け、ブロックカバーのブロック本体への摺動方向を電源ブロックの機器本体からの取外し方向と同一方向に設定し、ブロックカバーの摺動動作にて係止手段の係合を解除させるようにしてこのブロックカバーで操作杆を構成したので、電源ブロックを把持してそのまま機器本体から離す方向に力を入れることで電源ブロックが機器本体から外れるようになり、つまり把持といった力を入れ易いかたちで電源ブロックの機器本体からの取外しを行うことができ、電源ブロックの機器本体からの取外しにかかる操作性を更に向上させることができる。
【００４２】
また、請求項３記載の発明にあっては、請求項１の効果に加えて、上部を機器本体に接続させる電源ブロックの側縁部における対称位置に１対の操作杆を設け、この１対の操作杆の操作にて一の係止手段の係合を解除させるようにしたので、係止手段の係合の解除にかかる力を各操作杆に分割してかけることができ、つまり、機器本体から電源ブロックを取り外す際に、使用者が操作杆にかける力を小さくできるのであって、電源ブロックの機器本体からの取外しにかかる操作性を更に向上させることができる。
【００４３】
また、請求項４記載の発明にあっては、請求項１の効果に加えて、係止手段を、電源ブロックに設けた係止爪と、該係止爪が係脱される機器本体に設けた被係止部とから構成し、長板状の爪部材をその長手方向の中央部分で電源ブロックに枢支して回動自在に取付け、この爪部材における枢支部分を挟んで一端側に上記係止爪を設けると共に、他端側に操作杆の操作荷重を受ける被押圧部を設けたので、てこの原理を利用して操作杆で係止手段の係合の解除を行うことができ、操作杆にかける力を小さくできたり、少しの操作杆のスライド量で係止爪の突没量を大きく確保できることから、電源ブロックの機器本体からの取外しにかかる操作性を更に向上させたり、電源ブロックの小型化にも対応させ得ることができる。
【００４４】
また、請求項５記載の発明にあっては、請求項１の効果に加えて、電源ブロックに機器本体からの取り外しを補助する取外し補助機構を設け、この取外し補助機構が、操作杆の取り外し操作に連動して圧縮されるバネ体と、この圧縮されたバネ体の反発力を受けて機器本体を押圧する押圧部材とを備えたので、電源ブロックの機器本体からの取外しにかかる力を取外し補助機構にて補助することができ、つまり、使用者に必要とされる電源ブロックの機器本体からの取外しにかける力を小さくでき、電源ブロックの機器本体からの取外しにかかる操作性を更に向上させることができる。
【図面の簡単な説明】
【図１】本発明の実施の形態の例の電源ブロックの斜視図である。
【図２】同上の電源ブロックの水平断面図である。
【図３】同上の電源ブロックの下部ハウジングの内側面の一部の斜視図である。
【図４】同上の機器本体に装着し得る状態の電源ブロックにおける、図２のＤ−Ｄ線断面図である。
【図５】同上の機器本体に装着し得る状態の電源ブロックにおける、図２のＥ−Ｅ線断面図である。
【図６】同上の機器本体から取外し得る状態の電源ブロックにおける、図２のＤ−Ｄ線断面図である。
【図７】同上の機器本体から取外し得る状態の電源ブロックにおける、図２のＥ−Ｅ線断面図である。
【図８】同上の電動工具を示す全体側面図である。
【図９】本発明の実施の形態の他例の電源ブロックの斜視図である。
【図１０】同上の電源ブロックの水平断面図である。
【図１１】同上の電源ブロックの縦断面図である。
【図１２】同上の電源ブロックの下部ハウジングの内側面の一部の斜視図である。
【図１３】同上の機器本体に装着し得る状態の電源ブロックにおける、図１０のＦ−Ｆ線断面図である。
【図１４】同上の機器本体から取外し得る状態の電源ブロックにおける、図１０のＦ−Ｆ線断面図である。
【図１５】本発明の実施の形態の更に他例の電源ブロックの斜視図である。
【図１６】図１５のＧ−Ｇ線断面図である。
【図１７】図１５のＨ−Ｈ線断面図である。
【図１８】同上の機器本体に装着し得る状態の電源ブロックにおける、上部ハウジングを外した状態の上面図である。
【図１９】同上の機器本体に装着し得る状態の電源ブロックにおける、縦断面図である。
【図２０】同上の機器本体から取外し得る状態の電源ブロックにおける、上部ハウジングを外した状態の上面図である。
【図２１】同上の機器本体から取外し得る状態の電源ブロックにおける、縦断面図である。
【図２２】同上の機器本体に装着し得る状態の電源ブロックにおける、一部透視した上面図である。
【図２３】同上の機器本体から取外し得る状態の電源ブロックにおける、一部透視した上面図である。
【図２４】本発明の実施の形態の更に他例であって、電源ブロックの下部ハウジングの内側面の一部の斜視図である。
【図２５】同上の電源ブロックの側壁部分の縦断面図である。
【図２６】同上の機器本体に装着し得る状態の電源ブロックにおける、縦断面図である。
【図２７】同上の機器本体から取外し得る状態の電源ブロックにおける、縦断面図である。
【図２８】本発明の実施の形態の更に他例の電源ブロックの斜視図である。
【図２９】同上の取外し補助機構の動作を説明する縦断面図である。
【図３０】同上の取外し補助機構の動作を説明する縦断面図である。
【図３１】同上の取外し補助機構の動作を説明する縦断面図である。
【図３２】従来技術の例の電源ブロックを機器本体に装着した状態の縦断面図である。
【図３３】同上の電源ブロックを機器本体から取外す状態の縦断面図である。
【符号の説明】
１  電源ブロック
２  機器本体
３  操作杆
４  ブロック本体
５  ブロックカバー
６  係止爪
７  被係止部
８  爪部材
９  被押圧部
１０  バネ体
１１  押圧部材
【図１】
2004152506.tif 000003
【図２】
2004152506.tif 000004
【図３】
2004152506.tif 000005
【図４】
2004152506.tif 000006
【図５】
2004152506.tif 000007
【図６】
2004152506.tif 000008
【図７】
2004152506.tif 000009
【図８】
2004152506.tif 000010
【図９】
2004152506.tif 000011
【図１０】
2004152506.tif 000012
【図１１】
2004152506.tif 000013
【図１２】
2004152506.tif 000014
【図１３】
2004152506.tif 000015
【図１４】
2004152506.tif 000016
【図１５】
2004152506.tif 000017
【図１６】
2004152506.tif 000018
【図１７】
2004152506.tif 000019
【図１８】
2004152506.tif 000020
【図１９】
2004152506.tif 000021
【図２０】
2004152506.tif 000022
【図２１】
2004152506.tif 000023
【図２２】
2004152506.tif 000024
【図２３】
2004152506.tif 000025
【図２４】
2004152506.tif 000026
【図２５】
2004152506.tif 000027
【図２６】
2004152506.tif 000028
【図２７】
2004152506.tif 000029
【図２８】
2004152506.tif 000030
【図２９】
2004152506.tif 000031
【図３０】
2004152506.tif 000032
【図３１】
2004152506.tif 000033
【図３２】
2004152506.tif 000034
【図３３】
2004152506.tif 000035